(57)【要約】【課題】３０度を超す炎天下、幼児・お年寄りの外出時、または、日射の中の仕事時、今迄の物では使用困難であった。【解決手段】上記の課題を解決するため、携帯式で軽く、且つ、頭部全体を覆い、「盾がみ甲」に依り風通しの良い涼しい日陰を作り、且つ保冷剤で、脊髄部から頭部を冷やす事で日射を避ける様に構成した物である。【選択図】図１
2014058763.tif 000002
【特許請求の範囲】
【請求項１】
両首筋側の「盾がみ甲」を前方に立て、その立てた「盾がみ甲」の上部は、頭上のクラウン両端に着脱可能式に留め、「盾がみ甲」の下部は、両肩の上に当てる。
この事に依り、クラウンを依り丈部に支えることが出来，且つ後頭部から肩に架け、風通しの良い空間と日影を作る事が出来る事を特徴とする，熱射除け、セット式、クール・ハシビロコウ・ハット。
【請求項２】
首筋後方の「バッグの項」に保冷剤を入れる袋を備え，この保冷剤に依り脊髄部から冷やす事を特徴とする、［請求項１］記載の、熱射除け、セット式、クール、ハシビロコウ・ハット。
【請求項３】
好ましくは、クラウン下部と連結しているショルダーの中に詰め替え用保冷剤を入れる袋を備え、クラウンを使用しない時後ろに折り、其のクラウンをカバーする為の、横張り覆い式カバーを備えていることを特徴とする、［請求項１］記載の、セット式、クール・ハシビロコウ・ハット。
【発明の詳細な説明】
【技術分野】
【０００１】本発明は、老人・幼児・屋外作業者等の炎天下、又は外出時に、日射から頭部を保護する為の帽子に関する物である。
【背景技術】
【０００２】従来の冷却帽子では、クラウンの内側に取り付けられた帯状のビン皮を通して、水の気化熱を利用して冷却する物［特許文献４］。電気冷却器ユニット式で冷気する物［特許文献５］。貯水タンク式で冷却する物［特許文献１］。帽子の後ろを伸ばした物。がある。
【先行技術文献】
【特許文献】
【０００３】
【特許文献１】特開平  ２０００−０７３２２０  冷却帽子
【０００４】
【特許文献２】特開平  ２００５−２９０５６６  冷却帽子
【０００５】
【特許文献４】特開平  ２００６−３２８６１５  冷却帽子
【０００６】
【特許文献５】特開平  ０８−１００３２６  電気冷却装置ユニット式冷却帽子
【発明の概要】
【発明が解決しようとする課題】
【０００７】  従来の物で，水で頭部全体を覆う気化熱式では、其れなりの水の量と重さを必用とする事の弊害があり、炎天下、限られた水が気化した後，頭部に密着した被覆面は湿気に替わる弊害を生じた。又後ろ日差しを、垂らした物では炎天下に耐えられない弊害があった。
【課題を解決する為の手段】
【０００８】  本発明は上記目的を達成する為，頭部を覆うメッシュのクラウン部と其れを支えると同時に、風通しの良い空間と日陰を作る為に、後ろ依り「盾がみ甲」を備えたものである。
【０００９】第二の課題解決手段は、「ショルダーの項部」に固形保冷剤を入れる袋を設け、この保冷剤に依って、脊髄部依り頭部に冷気を送るように構成したものである。
【００１０】  又クラウンを使用しない時，これを折りたたんで、収納する為の、バッグを備え、其の中に詰め替え用固形保冷剤を保管して置く袋を備えるように構成したものである。
【発明の効果】
【００１１】お年寄り・幼児・屋外作業者に、折りたたみ携帯式で、セットするだけで、風通しの良い日陰と、冷気を与える事に於いて、従来の物と比べ，一段と優れた物であり、炎天下の日常生活に欠かせない物である。
【図面の簡単な説明】
【００１２】
【図１】は本発明、ハシビロコウ・ハットの側面図である。
【図２】は本発明、ハシビロコウ・ハットの背面展開図である。
【図３】は本発明、ハシビロコウ・ハットのショルダーにクラウンを折りたたんだ図である。
【発明を実施する為の形態】
【００１３】以下本発明の実施の形態を図１〜図３に基づいて説明する。
【００１４】図１はハシビロコウ・ハットの側面図である。５の折り目より１のクラウンを頭上に被り、４の「盾がみ甲」を立て、上部を３の着脱可能式に留める。「盾がみ甲」の下部は、肩の上に当てる。６は保冷剤入れ袋で、「ショルダーの項」の内側にあり、脊髄部依り頭部を冷やす、７はショルダーで８の横張りカバーで覆う、９は詰め替え用保冷剤入れ袋。
【００１５】図２はハシビロコウ・ハットの背面展開図である。１〜９は上記側面図の１〜９の説明と同じである。
【００１６】図３はハシビロコウ・ハットのショルダーにクラウンを折りたたんだ図である。１〜９は、図１の１〜９の説明と同じである。
【実施例】
【００１７】全く日陰の無い日晒しのコンクリートの護岸の上で、ハシビロコウ・ハットを使用して中程度の大きさの保冷剤２袋で、３３度の炎天下、１時間首筋の涼しさが保たれ、留まる事が出来た。
【産業上の利用可能性】
【００１８】御年寄り・幼児の外出時、日射の屋外作業時に、日射病対策として最も大きく貢献できる物である。
【符号の説明】
【００１９】１は、クラウン。
２は、折りたたみツバ。
３は、クラウンと「盾がみ甲」との留め具。
４は、「盾がみ甲」。
５は、クラウンと後ろ項との折り目線。
６は、「バッグ側の項」の保冷剤入れ袋。
７は、ショルダー。
８は、横張りカバー。
９は、詰め替え用保冷剤入れ袋。
１０は、ショルダーと上部との折り目線。
【図１】
2014058763.tif 000003
【図２】
2014058763.tif 000004
【図３】
2014058763.tif 000005
【手続補正書】
【提出日】平成25年1月25日(2013.1.25)
【手続補正１】
【補正対象書類名】明細書
【補正対象項目名】全文
【補正方法】変更
【補正の内容】
【発明の詳細な説明】
【技術分野】
【０００１】
本発明は冷却帽子に関するものであり、より詳細には、冷却機能を有していて、炎天下等において着用するのに好適な冷却帽子に関するものである。
【背景技術】
【０００２】
冷却機能を有する冷却帽子は、従来より種々の形態のものが提案されている。例えば、特開２０００−７３２２０号公報、特開２００５−２９０５６６号公報、並びに、特開２００６−３２８６１５号公報に記載の冷却帽子は、いずれも、使用に際して帽体に備えた給水手段に水を吸収させ、使用時にその水の気化熱を利用しようとするものである。しかし、これらの場合は、使用時に相当量の水が必要となるため、どうしても重くなるという問題がある。
【０００３】
また、特開平８−１００３２０号公報に記載の冷却帽子（ヘルメット）は、ペルチャ素子を利用した冷却器ユニットを装備するものであるため、やはり重量面での問題があると共に、コスト面での問題もあり、一般的ではない。
【先行技術文献】
【特許文献】
【０００４】
【特許文献１】特開２０００−７３２２０号公報
【特許文献２】特開２００５−２９０５６６号公報
【特許文献３】特開２００６−３２８６１５号公報
【特許文献４】特開平８−１００３２０号公報
【発明の概要】
【発明が解決しようとする課題】
【０００５】
本発明は、従来の冷却帽子が上記のような問題を抱えることに鑑みてなされたもので、比較的軽量且つ安価で、着用時に十分な涼感が得られ、特に年配者や幼児の外出時や屋外作業時において着用するのに好適な冷却帽子を提供することを課題とする。
【課題を解決するための手段】
【０００６】
上記課題を解決するための請求項１に記載の発明は、ツバを有する通気素材製のクラウンと、前記クラウンの後端部に連設されて着用時に後頭部から背部にかけて覆う後部被覆体と、前記後部被覆体の両側に連設されて、着用時に前記クラウンの両側部に垂下状態となる側部被覆体とから成り、前記後部被覆体はその首筋当接部に保冷剤用ポケットを備えていることを特徴とする冷却帽子である。
【０００７】
一実施形態においては、前記後部被覆体の下部に、予備の保冷剤を収納するための予備ポケットが設けられる。また、一実施形態においては、前記後部被覆体の下部に、前記後部被覆体の下半部を覆い得るカバーが連設され、非着用時において前記後部被覆体の下半部上に折り返した前記クラウンを被覆可能にする。
【発明の効果】
【０００８】
本発明に係る冷却帽子は上記構成であるため、折りたたんでの保管・携帯が可能で、使用時には、通気性のあるクラウン、側部被覆体及び後部被覆体により、顔面を残して頭部全体が覆われて日射が遮られると共に、後部被覆体に担持される保冷剤による涼感が得られ、特に年配者や幼児の外出時や屋外作業時において着用するのに好適なる効果がある。
【図面の簡単な説明】
【０００９】
【図１】本発明に係る冷却帽子を着用した状態の側面図である。
【図２】本発明に係る冷却帽子の背面視展開図である。
【図３】本発明に係る冷却帽子のクラウンの折り畳み収納状態を示す図である。
【発明を実施するための形態】
【００１０】
本発明を実施するための形態につき、添付図面に依拠して説明する。本発明に係る冷却帽子は、ツバ２を有するクラウン１と、クラウン１の後端部に連設されて着用時に後頭部から背部にかかる部分を覆う後部被覆体７と、後部被覆体７の上部両側に連設され、着用時においてクラウン１の両側部から肩に達するように垂設状態にされる側部被覆体４とから成るものである。クラウン１はメッシュ性素材で形成される。
【００１１】
図２に示されるように、側部被覆体４は、その上半部のみが後部被覆体７に連結され、下半部は分離された状態にされる。そして、側部被覆体４は、クラウン１の両側部に設けたホック、フック、面テープ等の留め具３によってクラウン１の両側部に留め付けられることにより、クラウン１の両側部から肩に達するように垂下する（図１参照）。側部被覆体４には、必要に応じ、あご紐１１が取り付けられる。
【００１２】
後部被覆体７はその首筋当接部に保冷剤を収納するための保冷剤ポケット６を備え、好ましい実施形態においては、更に下部に、予備の保冷剤を収納するための予備ポケット９が備え付けられる。また、後部被覆体７の下部に、後部被覆体７の下半部を覆い得るカバー８が連設される。カバー８は、その側端部に設けた留め具３と同様の留め具１２を介して、後部被覆体７の下半部側端に脱着可能にされる。好ましくは、後部被覆体７には、そのクラウン１との連結部と、両側の側部被覆体４の連結部の下端を結ぶ線に折り目５、１０を設けることとする。折り目１０は、側部被覆体４に延設される。
【００１３】
上記構成の冷却帽子を炎天下等において着用するに際しては、保冷剤ポケット６に保冷剤を収納し、また、留め具３を介して側部被覆体４の上縁をクラウン１の側部に固定した後、クラウン１を頭に被る。そして、あご紐１１がある場合はこれを締める。かくして着用完了となり、この状態において、後頭部から背中にかかる部分が後部被覆体７によって覆われ、頭部の耳から後頭部に至る部分が側部被覆体４によって覆われるため、それらの部分に対する直射を避けることができる。
【００１４】
そして、保冷剤を収納した保冷剤ポケット６が首筋に当接し続けるため、着用時に首筋が冷やされ、常時涼感を得ることができる。また、図２に示されるように、側部被覆体４は、その上半部のみが後部被覆体７に連結され、下半部は分離された状態にされる結果、着用時において側部被覆体４と後部被覆体７との間に通気間隙ができるため、そこを通しての通気によって涼感が高められる。長時間使用によって保冷剤の機能が低下した場合は、予備ポケット９から別の保冷剤を取り出して交換することにより、冷却機能を持続させることができる。
【００１５】
本発明に係る冷却帽子は、不使用時に畳んで保管し、あるいは、携帯することができる。即ち、図２に示す状態に展開した後、折り目１０から折り返してクラウン１部分を後部被覆体７上に重ね（図３参照）、その後、カバー８を被せてクラウン１を押え止めるようにする。
【００１６】
このように本発明に係る冷却帽子の場合は、折りたたんでの保管・携帯が可能で、使用時には、通気性のあるクラウン１、側部被覆体４及び後部被覆体７により、顔面を残して頭部全体が覆われて日射が遮られると共に、後部被覆体７に担持される保冷剤による涼感が得られるので、特に年配者や幼児の外出時や屋外作業時において着用するのに好適なものである。
【００１７】
本発明者は実際に、全く日陰のない３３度の炎天下の護岸上において本発明に係る冷却帽子を、保冷剤を２袋用いて試用してみたところ、１時間以上首筋の涼感が維持され、そこに留まることができた。
【符号の説明】
【００１８】
１    クラウン
２    ツバ
３    留め具
４    側部被覆体
５    折り目
６    保冷剤用ポケット
７    後部被覆体
８    カバー
９    予備ポケット
１０    折り目
１１    あご紐
１２    留め具
【手続補正２】
【補正対象書類名】特許請求の範囲
【補正対象項目名】全文
【補正方法】変更
【補正の内容】
【特許請求の範囲】
【請求項１】
ツバを有する通気素材製のクラウンと、前記クラウンの後端部に連設されて着用時に後頭部から背部にかけて覆う後部被覆体と、前記後部被覆体の両側に連設されて、着用時に前記クラウンの両側部に垂下状態となる側部被覆体とから成り、前記後部被覆体はその首筋当接部に保冷剤用ポケットを備えていることを特徴とする冷却帽子。
【請求項２】
前記後部被覆体の下部に、予備の保冷剤を収納するための予備ポケットを設けた、請求項１に記載の冷却帽子。
【請求項３】
前記後部被覆体の下部に、前記後部被覆体の下半部を覆い得るカバーを連設し、非着用時において前記後部被覆体の下半部上に折り返した前記クラウンを被覆可能にした、請求項１又は２に記載の冷却帽子。
【手続補正３】
【補正対象書類名】図面
【補正対象項目名】全図
【補正方法】変更
【補正の内容】
【図１】
2014058763.tif 000006
【図２】
2014058763.tif 000007
【図３】
2014058763.tif 000008
【手続補正書】
【提出日】平成25年3月12日(2013.3.12)
【手続補正１】
【補正対象書類名】明細書
【補正対象項目名】０００２
【補正方法】変更
【補正の内容】
【０００２】
冷却機能を有する冷却帽子は、従来より種々の形態のものが提案されている。例えば、特開２０００−７３２２０号公報、特開２００５−２９０５６６号公報、並びに、特開２００６−３２８６１５号公報に記載の冷却帽子は、いずれも、使用に際して帽体に備えた給水手段に水を吸収させ、使用時にその水の気化熱を利用しようとするものである。
【手続補正２】
【補正対象書類名】明細書
【補正対象項目名】０００３
【補正方法】変更
【補正の内容】
【０００３】
しかし、これらの場合は、使用時に相当量の水が必要となるため、どうしても重くなるといった問題があった。
【手続補正３】
【補正対象書類名】明細書
【補正対象項目名】０００６
【補正方法】変更
【補正の内容】
【０００６】
上記課題を解決するための請求項１に記載の発明は、ツバを有する通気素材製のクラウンと、前記クラウンの後端部に連設されて着用時に後頭部から背部にかけて覆う後部被覆体と、前記後部被覆体の両側に連設される側部被覆体とから成り、前記後部被覆体はその首筋当接部に保冷剤用ポケットを備え、前記側部被覆体は、それぞれ着用時に前方に回して上端部を前記クラウンの側部に留め付けられることにより、下端が肩に乗って肩上に立てた状態となって前記クラウンを支持し、以て、陽を遮ると共にその内側に通気空間を生成することを特徴とする冷却帽子である。
【手続補正４】
【補正対象書類名】明細書
【補正対象項目名】００１１
【補正方法】変更
【補正の内容】
【００１１】
図２に示されるように、側部被覆体４は、その上半部のみが後部被覆体７に連結され、下半部は分離された状態にされる。そして、側部被覆体４は、着用時に前方に回されて、上端部がクラウン１の両側部に設けたホック、フック、面テープ等の留め具３によってクラウン１の両側部に留め付けられる。それにより側部被覆体４は、下端が肩に乗って肩上に立てた状態となってクラウン１を支持し、同時に、陽を遮ると共にその内側に通気空間を生成する（図１参照）。側部被覆体４には、必要に応じ、あご紐１１が取り付けられる。
【手続補正５】
【補正対象書類名】特許請求の範囲
【補正対象項目名】全文
【補正方法】変更
【補正の内容】
【特許請求の範囲】
【請求項１】
ツバを有する通気素材製のクラウンと、前記クラウンの後端部に連設されて着用時に後頭部から背部にかけて覆う後部被覆体と、前記後部被覆体の両側に連設される側部被覆体とから成り、前記後部被覆体はその首筋当接部に保冷剤用ポケットを備え、前記側部被覆体は、それぞれ着用時に前方に回して上端部を前記クラウンの側部に留め付けられることにより、下端が肩に乗って肩上に立てた状態となって前記クラウンを支持し、以て、陽を遮ると共にその内側に通気空間を生成することを特徴とする冷却帽子。
【請求項２】
前記後部被覆体の下部に、予備の保冷剤を収納するための予備ポケットを設けた、請求項１に記載の冷却帽子。
【請求項３】
前記後部被覆体の下部に、前記後部被覆体の下半部を覆い得るカバーを連設し、非着用時において前記後部被覆体の下半部上に折り返した前記クラウンを被覆可能にした、請求項１又は２に記載の冷却帽子。